(57)【特許請求の範囲】
【請求項１】
ネットワークを介して接続される携帯端末装置がカメラ機構にて撮影した画像データを、ＳＳＬ機能を有したブラウザを経由、または、ＭＭＳを経由して取得し、
前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換後データを、取得した電子メールアドレスを有する前記携帯端末装置へＭＭＳ経由で返信し、
前記携帯端末装置側で、前記変換後データを任意に編集させ情報配信させることを特徴とする変換サーバ。
【請求項２】
カメラ機構にて撮影した画像データを、ＳＳＬ機能を有したブラウザ、または、ＭＭＳを使用してネットワークを介して接続される変換サーバに送信し、
前記変換サーバにより前記画像データの色識別が行われ、予め設定されている色毎のコマンド機能が実行されるとともに、ＯＣＲを使用して、携帯端末装置にて参照・編集可能な電子メール用のデータ形式に変換された後の変換後データを、前記変換サーバにより前記画像データのうち社員ＩＤや顔写真の画像データに基づいて所定の記憶部を検索して取得された対応する電子メールアドレスにてＭＭＳ経由で受信し、
前記変換後データを任意に編集して情報配信することを特徴とする携帯端末装置。
【請求項３】
ネットワークを介して接続される携帯端末装置と、変換サーバとを含むデータ変換システムであって、
前記携帯端末装置は、カメラ機構にて撮影した画像データを、ＳＳＬ機能を有したブラウザ、または、ＭＭＳを使用して前記変換サーバに送信し、
前記変換サーバは、前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換後データを、取得した電子メールアドレスを有する前記携帯端末装置へＭＭＳ経由で返信し、
前記携帯端末装置は、前記変換後データを任意に編集して情報配信することを特徴とするデータ変換システム。
【請求項４】
変換サーバが、ネットワークを介して接続される携帯端末装置がカメラ機構にて撮影した画像データを、ＳＳＬ機能を有したブラウザを経由、または、ＭＭＳを経由して取得し、
前記変換サーバが、前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換後データを、取得した電子メールアドレスを有する前記携帯端末装置へＭＭＳ経由で返信し、
前記変換サーバが、前記携帯端末装置側で、前記変換後データを任意に編集させ情報配信させることを特徴とするデータ変換方法。
【請求項５】
コンピュータに、
ネットワークを介して接続される端末装置がカメラ機構にて撮影した画像データを、ＳＳＬ機能を有したブラウザを経由、または、ＭＭＳを経由して取得する機能と、
前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換データを、取得した電子メールアドレスを有する前記携帯端末装置へＭＭＳ経由で返信する機能と、
を実現させることを特徴とするプログラム。
【発明の詳細な説明】
【技術分野】
【０００１】
本発明は、カメラ機構により撮像した画像データを変換するための技術に関する。
【背景技術】
【０００２】
従来、会議の議事録や客先からの資料を、電子メールを使用して配信する場合、一度手入力を実施するか、何らかの手法にて磁気データにしてから送信していた。
【０００３】
また、電子メールを送信するにしても長い文章を打ち込むのは時間が掛かるという問題点がある。
【０００４】
ＱＲコードに変換して入力の補助を図る手法はあるが、実施するためには、パーソナルコンピュータやＴｏｏｌが必要となり、携帯電話機などの端末装置だけでは実施することができない。
【０００５】
ここで、カメラ付き携帯端末にて広告などを撮影し、その画像に対して文字認識を行い、この結果をキーワードとしてコンピュータ装置に接続されるデータベースから検索することで目的の情報を取り出し、得られた情報を携帯端末へ転送し、携帯端末の情報の登録を行うことで、カメラ付き携帯端末にて登録したい情報のキーワードが入った広告などを撮影するだけで、その情報の登録が可能となる技術が提案されている（例えば、特許文献１参照）。
【特許文献１】特開２００４−３２６４７３号公報
【発明の開示】
【発明が解決しようとする課題】
【０００６】
しかしながら、上述した従来例においては次のような問題点があった。
【０００７】
カメラを利用したスキャナ機能を利用ユーザ側で他に専用機器を用意することが必要であり、煩雑であった。また、電子メール作成に不慣れな人は、Ｔｏｏｌなどを使用した取り込みが必要であった。
【０００８】
本発明は、以上説明した事情に鑑みてなされたものであり、その目的は、編集することができなかった画像データについてのデータ変換を端末装置と比較すると大幅に処理能力・性能の高いサーバにて実施することで、端末装置側にて簡易に編集可能とし、またスピーディに最終的な情報配信を実施可能とすることである。
【課題を解決するための手段】
【０００９】
上記課題を解決するために、本発明は、ネットワークを介して接続される携帯端末装置がカメラ機構にて撮影した画像データを、ＳＳＬ機能を有したブラウザを経由、または、ＭＭＳを経由して取得し、前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換後データを、取得した電子メールアドレスを有する前記携帯端末装置へＭＭＳ経由で返信し、前記携帯端末装置側で、前記変換後データを任意に編集させ情報配信させることを特徴とする変換サーバを提供する。
【００１０】
また、本発明は、カメラ機構にて撮影した画像データを、ＳＳＬ機能を有したブラウザ、または、ＭＭＳを使用してネットワークを介して接続される変換サーバに送信し、前記変換サーバにより前記画像データの色識別が行われ、予め設定されている色毎のコマンド機能が実行されるとともに、ＯＣＲを使用して、携帯端末装置にて参照・編集可能な電子メール用のデータ形式に変換された後の変換後データを、前記変換サーバにより前記画像データのうち社員ＩＤや顔写真の画像データに基づいて所定の記憶部を検索して取得された対応する電子メールアドレスにてＭＭＳ経由で受信し、前記変換後データを任意に編集して情報配信することを特徴とする携帯端末装置を提供する。
【００１１】
また、本発明は、ネットワークを介して接続される携帯端末装置と、変換サーバとを含むデータ変換システムであって、前記携帯端末装置は、カメラ機構にて撮影した画像データを、ＳＳＬ機能を有したブラウザ、または、ＭＭＳを使用して前記変換サーバに送信し、前記変換サーバは、前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換後データを、取得した電子メールアドレスを有する前記携帯端末装置へＭＭＳ経由で返信し、前記携帯端末装置は、前記変換後データを任意に編集して情報配信することを特徴とするデータ変換システムを提供する。
【００１２】
また、本発明は、変換サーバが、ネットワークを介して接続される携帯端末装置がカメラ機構にて撮影した画像データを、ＳＳＬ機能を有したブラウザを経由、または、ＭＭＳを経由して取得し、前記変換サーバが、前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換後データを、取得した電子メールアドレスを有する前記携帯端末装置へＭＭＳ経由で返信し、前記変換サーバが、前記携帯端末装置側で、前記変換後データを任意に編集させ情報配信させることを特徴とするデータ変換方法を提供する。
【００１３】
また、本発明は、コンピュータに、ネットワークを介して接続される端末装置がカメラ機構にて撮影した画像データを、ＳＳＬ機能を有したブラウザを経由、または、ＭＭＳを経由して取得する機能と、前記取得した画像データの色識別を行い、予め設定されている色毎のコマンド機能を実行するとともに、ＯＣＲを使用して、携帯端末装置にて参照・編集可能な電子メール用のデータ形式に変換して、前記取得した画像データのうち社員ＩＤや顔写真の画像データに基づいて所定の記憶部を検索して対応する電子メールアドレスを取得して、再度、前記取得した画像データを変換した後の変換データを、取得した電子メールアドレスを有する前記携帯端末装置へＭＭＳ経由で返信する機能と、を実現させることを特徴とするプログラムを提供する。
【発明の効果】
【００１４】
本発明によれば、画像データについてのデータ変換をサーバにて実施することで、端末装置側にて簡易に編集可能とし、またスピーディに最終的な情報配信を実施可能とすることができる。
【発明を実施するための最良の形態】
【００１５】
以下、本発明の実施の形態について図面を参照して詳細に説明する。なお、各図において共通する部分には、同一の符号が付されている。
【００１６】
図１を参照すると、本実施の形態におけるデータ変換システムは、専用サーバ１０と、会議・打合せ資料５０を撮像する携帯電話機２０ａと、情報を受け取る携帯電話機２０ｂ、２０ｃと、パーソナルコンピュータ３０とから構成されている。専用サーバ１０、携帯電話機２０ａ、２０ｂ、２０ｃおよびパーソナルコンピュータ３０は、プログラム制御により動作し、携帯電話機２０ａと、携帯電話機２０ｂ、２０ｃおよびパーソナルコンピュータ３０とはネットワーク１００を介して接続されている。ネットワーク１００は、任意のネットワークであってよく、例えば、インターネット、公衆回線などであってもよい。なお、通信方法は、有線であっても、無線であってもよい。
【００１７】
図２を参照すると、携帯電話機２０ａは、送受信回路２００と、アプリケーション部２０１と、カメラ２０４と、操作部２０５とを備えている。携帯電話機２０ａは、端末装置の例示であり、ＰＤＡ、ノート型パソコンなどの情報処理装置であってもよい。
【００１８】
送受信回路２００は、専用サーバ１０へのカメラ画像の送信メールおよびサーバ１０からの応答メールを使用して送信データを作成する機能を有している。
【００１９】
アプリケーション部２０１は、電子メール操作部２０２と、Ｗｅｂ操作部２０３とを有している。電子メール操作部２０２は、電子メール送信データの作成および受信データの参照を実施する機能を有している。また、Ｗｅｂ操作部２０３は、専用サーバ１０に対して画像データを送信する方法として、専用サーバ１０に接続（ＨＴＴＰＳ接続）後、画像データをアップロードする機能を有している。
【００２０】
カメラ２０４は、画像の撮影を実施する機能を有している。
【００２１】
操作部２０５は、各操作の実施を司る機能を有している。
【００２２】
図３を参照すると、専用サーバ１０は、認証部３００と、データ変換部３０１と、送受信部３０２とを備えている情報処理装置である。なお、その他に既知の構成として、例えば、操作入力部と、ＲＯＭ（Read Only Memory）と、ＲＡＭ（Random Access Memory）と、通信インタフェースと、ＨＤ（Hard Disk）と、ＣＰＵ（Central Processing Unit）とを備え、これらの各部はバスによって接続されている。
【００２３】
操作入力部は、キーボードやマウスなどを備え、これらのキーボードやマウスの操作に応じた操作信号をＣＰＵに出力する。ＲＯＭには、装置各部の基本制御を司るプログラムが格納されている。また、ＲＡＭは、ＣＰＵのワークエリアとして用いられ、ＣＰＵにより実行されるプログラムや、各種データが一時的に格納される。
【００２４】
通信インタフェースは、インターネットなどに接続されており、通信装置との間で行われるデータ通信を制御する。
【００２５】
ＨＤには、オペレーティングシステムなどの自機を制御するための各種ソフトウェアが格納されている。
【００２６】
認証部３００は、携帯電話機２０ａからのＩＭＥＩもしくはユーザ情報を使用したセキュリティ管理を実施する機能を有している。また、本サービス利用者（利用端末）に関する認証チェックを実施する機能を有していてもよい。
【００２７】
データ変換部３０１は、受信したデータの解析および変換を実施する機能を有している。すなわち、携帯電話機２０ａにて参照・編集可能なフォーマットに変換する。そのために、例えば、ＯＣＲなどの機能を利用することであってもよい。また、付加機能として、受信した画像データを色により識別して、色毎にコマンドを定義して受信データの編集を実施することであってもよい。
【００２８】
送受信部３０２は、電子メールおよびＨＴＴＰＳ通信部分であり、携帯電話機２０ａからの電子メールもしくはＷｅｂ接続による画像データの送受信を行う機能を有している。
【００２９】
次に、本実施の形態におけるデータ変換に関する処理フローを図を参照して詳細に説明する。実際の実施動作概要を図４を用いて、また、詳細なフロー部分を図５〜図７を用いて以下に説明する。
【００３０】
まず、図４のステップＳ４０１で、携帯電話機２０ａは、対象となるドキュメントである会議・打合せ資料５０をカメラ２０４を用いて撮影する。
【００３１】
その後、ステップＳ４０２では、図５に示すような手順にて電子メール操作部２０２より専用サーバ１０へ該当データをＭＭＳにて送信するか、または、図６に示すような手順にてＷｅｂ操作部２０３にて専用サーバ１０に撮影した画像そのものを送信（Ｕｐｌｏａｄ）する。なお、Ｗｅｂによる送信では、セキュリティの観点よりＨＴＴＰＳ通信にて送信する。ここで、専用サーバ１０への転送方式として、サイズの小さいデータであれば、ＭＭＳを使用した転送を行い、一方、サイズが大きいデータであれば、ブラウザ機能を用いたブラウザからのＰＵＳＨによる転送を行うことであってもよく、さらに、特にセキュリティが必要である場合には、ＳＳＬ機能を有したブラウザ転送にて実行することであってもよい。
【００３２】
具体的には、図５の処理フローは、まず、カメラから画像を入手し（Ｓ５０１）、その後、電子メール操作部２０２で送信メールを作成し（Ｓ５０２）、送受信回路２００から電子メールで専用サーバ１０へ送信する（Ｓ５０３）。そして、専用サーバの認証部３００で電子メールＩＤの認証をチェックし（Ｓ５０４）、認証に失敗した場合（Ｓ５０４／Ｎｏ）には、データが破棄され（Ｓ５０５）、一方、認証された場合（Ｓ５０４／Ｙｅｓ）にはデータ変換部３０１へ送られる（Ｓ５０６）。
【００３３】
また、図６の処理フローは、まず、カメラから画像を入手し（Ｓ６０１）、その後、Ｗｅｂ操作部２０３で撮影した画像データをアップロードし（Ｓ６０２）、送受信回路２００からＨＴＴＰＳ通信にて専用サーバ１０へ送信する（Ｓ６０３）。そして、専用サーバの認証部３００で電子メールＩＤの認証をチェックし（Ｓ６０４）、認証に失敗した場合（Ｓ６０４／Ｎｏ）には、データが破棄され（Ｓ６０５）、一方、認証された場合（Ｓ６０４／Ｙｅｓ）にはデータ変換部３０１へ送られる（Ｓ６０６）。
【００３４】
ステップＳ４０３では、画像データのままでは、携帯電話機２０ａ側にてその後参照・編集が実施できないので、ＯＣＲなどを使用して読みとり可能なデータに変換する処理を実施する。なお、本変換に関しては、ＣＰＵ性能を考慮して専用サーバ１０側にて実施する。
【００３５】
また、読みとったデータ部分の色識別を実施し、例えば、図７に示すような、色毎のコマンド機能を設けて返信データの加工・修正を併せて実施することにより携帯電話機２０ａ側での再編集の手間を軽減させることであってもよい。具体的には、赤字による訂正であれば置き換えして、青字による訂正であれば挿入する修正を行う。
【００３６】
返還後のデータについては、送信元の携帯電話機２０ａへＭＭＳにて返信を実施する。
【００３７】
ステップＳ４０４では、携帯電話機２０ａ上にて受信したデータを活用して、例えば受信した電子メールを使用してそのまま情報配信することも可能である。なお、そのまま送信するのではなく、追加情報の編集などが必要であれば、電子メールアプリケーションのエディタ機能を使用して追記、編集などを行うことで自由に操作することができる。これにより、情報配信が、スピーディに実施可能となる。
【００３８】
上記の実施の形態によれば、タイムリかつ正確な情報発信が可能となる。また、資料に現れない補足情報や追加情報を含めて伝達可能となる。さらに、情報を受け取った側でも編集可能なデータとなるためその後の展開が容易になる。
【００３９】
また、議事録や手書き資料そのものをサーバ側に転送してサーバ側では、受信したデータそのものを移動機で編集可能なデータに変換後転送することで、カメラ機構で撮影した内容そのままを移動機側で編集可能となり、会議資料などをその場で関係者に配布可能となる。
【００４０】
次に、本発明の第２の実施の形態について説明する。図４のステップＳ４０３の処理を実施した後に、例えば、図８に示すように携帯電話機からの入力データ８０１を追加し、入力データ８０１に対応した電子メールアドレスを専用サーバ１０と社内システム８０２とを連携させることにより取得し、編集後のデータと共にＭＭＳを利用して返信する。
【００４１】
本実施の形態によれば、従来は携帯電話機内にある電話帳から参照するかもしくは、事前にユーザ自身が記憶していた電子メールアドレスにしか送信することができなかった情報を、必要な相手すべてに送信可能となり、これまでの情報配信と比較して利便性が大きく向上する。
【００４２】
次に、本発明の第３の実施の形態について説明する。携帯電話機の電子メール作成に不慣れな人に対して補助Ｔｏｏｌとしては、ＱＲコードが代表的だが、ＱＲコードを作成するために、専用のＴｏｏｌやＴｏｏｌを動作させるためのパーソナルコンピュータなどの携帯電話機以外の機器が必要であったが、手書きの文章をカメラ２０３にて撮影して、専用サーバ１０で変換するようにすれば、携帯電話機上にて編集可能なデータを入手することが可能となるので、従来のようにＴｏｏｌやパーソナルコンピュータなどの専用機器が無くとも容易にメール作成可能となる。
【００４３】
なお、上述する各実施の形態は、本発明の好適な実施の形態であり、本発明の要旨を逸脱しない範囲内において種々変更実施が可能である。例えば、上記の実施の形態における専用サーバ１０、携帯電話機２０の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４４】
上述する各実施の形態は、専用サーバ１０、携帯電話機２０が別個に接続されているシステム構成について説明したが、各機能が１つのコンピュータシステムとして実現されている構成や機能毎に複数の装置などが追加された構成にも適用可能であることはもちろんである。
【図面の簡単な説明】
【００４５】
【図１】本発明の第１の実施形態におけるデータ変換システムの概略構成図である。
【図２】本発明の第１の実施形態における携帯電話機２０ａの機能ブロック図である。図である。
【図３】本発明の第１の実施形態における専用サーバの機能ブロック図である。
【図４】本発明の第１の実施形態におけるデータ変換処理動作を示すフローチャートである。
【図５】本発明の第１の実施形態におけるデータ変換処理動作を示すフローチャートである。
【図６】本発明の第１の実施形態におけるデータ変換処理動作を示すフローチャートである。
【図７】本発明の第１の実施形態における色毎のコマンド機能を説明する図である。
【図８】本発明の第２の実施形態におけるデータ変換システムの概略構成図である。
【符号の説明】
【００４６】
１０    専用サーバ
２０ａ、ｂ、ｃ    携帯電話機
３０    パーソナルコンピュータ
５０    会議・打合せ資料
１００    ネットワーク
【図１】
0005313430.tif 000002
【図２】
0005313430.tif 000003
【図３】
0005313430.tif 000004
【図４】
0005313430.tif 000005
【図５】
0005313430.tif 000006
【図６】
0005313430.tif 000007
【図７】
0005313430.tif 000008
【図８】
0005313430.tif 000009